(57)【要約】      （修正有）【課題】本体生地とは異種の帯状編織物を、切断部に挟み込んで遮光性、透光性、透視性その他特殊な作用効果を発揮させ、従来にない特色あるカーテン又はテーブルクロスを提供する。【解決手段】本体生地１を直線で切断されて分離された空間部２に１０乃至３０ｃｍ幅とした帯状編織部３を挟み込み縫着部４で本体生地１と一体化したカーテン地又はテーブルクロス地とした。また、帯状編織部３を本体生地１とは異種の生地とし、遮光性、透視性、抗菌性、目視感に差異がある生地とした。【選択図】図１
0003146253.tif 000002
【実用新案登録請求の範囲】
【請求項１】
本体生地が直線で切断されて分離された空間部に１０乃至３０ｃｍ幅とした帯状編織部を挟み込み縫着部で本体生地と一体化したことを特徴とするカーテン地又はテーブルクロス地。
【請求項２】
帯状編織部が本体生地とは異種の生地であり、遮光性、透視性、抗菌性、目視感に差異がある生地とした請求項１記載のカーテン地又はテーブルクロス地。
【請求項３】
請求項１又は２記載のカーテン地を用いて、帯状編織部の縫着位置が高さのおよそ３分の２程度の位置とし、上端縁部にカーテンつり係合部を設け、本体生地の周縁部を縁縫いしたカーテン。
【請求項４】
帯状編織部が本体生地と縫着され一体化される縫着部において、少なくとも一部の縫着部を越えてはみ出すようにしたはみ出し部又はフラップ部を形成した請求項３記載のカーテン。
【請求項５】
請求項１又は２記載のテーブルクロス地を用いて、周縁部を縁縫いしたテーブルクロス。
【考案の詳細な説明】
【技術分野】
【０００１】
本考案はカーテン地又はテーブルクロス地を一端直線で切断し、形成された空間部に本体生地とは異種の生地を挟み込み縫製してカーテン又はテーブルクロスを製造するものである。
【背景技術】
【０００２】
カーテン又はテーブルクロスは、一枚の生地の編織網目を変化したもの又は裏地を有する２枚ものなどが用いられている。また、従来からドレーブ性のある厚手の生地、例えば先染め又は後染めジャガードを用いたもの、薄手のレースカーテンやボイルレース、ケースメントレースなどがある。
【特許文献１】特許公開平０７−２３１８４４号公報
【考案の開示】
【考案が解決しようとする課題】
【０００３】
本考案は、カーテン又はテーブルクロスとなる生地自体の編織組織に変更を設けるものではなく、垂下される一枚のカーテン又はテーブル上に載置されるテーブルクロスを予め直線で切断分離して形成される空間部に、本体生地とは異種の帯状編織物を挟み込んで縫着一体化し、特殊な作用効果を発揮させるか又は従来にない特色ある形体と目視感を現そうとするものである。
【０００４】
従来のカーテンでは、遮光性や透光性或いは抗菌性を求めて生地の全体の編製又は織製がなされているので、生地の選択が重要となり、選択した生地を用いれば一定の目的を達成する事ができるようになっている。
【０００５】
しかし、例えば遮光性を求める場合も、カーテン全体が遮光性に強ければ締め切った場合、室内が暗くなりすぎる難点があり、２枚重ねのカーテンにして開閉を調整するとか、場合によれば一部カーテンを開放するなどの調整を必要とされていた。
【課題を解決するための手段】
【０００６】
本考案では、上記のような難点を解消できるカーテン地又はテーブルクロス地を提供するものであり、本体生地を直線で切断して分離した空間部を設け、この空間部に合致する長さで１０乃至３０ｃｍ幅とした前記本体生地とは異種の帯状編織部を設け、この帯状編織部を前記本体生地の切断された両端縁部間に縫着して挟み込み一体化した。
【０００７】
帯状編織部の長さ及び幅は、本体生地の空間部に合致する長さで１０乃至３０ｃｍ幅とするのが望ましいが、これに限定するものではない。例えば、カーテン又はテーブルクロスとして仕上がった場合に帯状編織部が縫着部の上下及び両端部からはみ出したはみ出し部又はフラップ部を設けても良い。
【考案の効果】
【０００８】
本体生地とは異種の帯状編織部を用いたので、本体生地と帯状編織部との組み合わせを多数形成することができ、希望する遮光性又は透光性を得ることができるようになった。
【０００９】
従って、例えば遮光性が強く保温性に富む本体生地として、ドレーブ性の厚手である先染めジャガードを用いると共に、帯状編織部としてケースメントを用いて挟み込み一体化すると、カーテン全体では保温効果と遮光性に加えて、帯状編織部による透光性、反射性により適宜の明るさが得られ、特殊な目視感を発揮できるようになる。
【００１０】
生地の柄の変化によっても、ゴージャス性とモダン性を加味した組み合わせを実現することができ、使用者の希望する豪華性、遮光性、透視性、反射性を得ることができ、見る者には従来にない異色の感覚を与える効果もある。
【００１１】
帯状編織部の幅を適宜加減して用いる事により、透光の程度を予め選択して使用することができる。
【００１２】
帯状編織部の端縁部が、縫着部からはみ出したはみ出し部又はフラップ部を設けた場合、使用者の好みに応じて該部分だけを異色の組成と色彩とすることができ、また縫着部から折り曲げて帯状編織部の透光性に変化をもたせることもできる。
【考案を実施するための最良の形態】
【００１３】
本体生地にドレープ性の厚手カーテンとして、先染めジャガード、後染めジャガード、ドビー織り、プリント生地等を用いることができる。
【００１４】
レースカーテンとしては、ジャガードレース、ボイルレース、ラッセルレース、ケースメンとレース、トリコットレースなどが好適である。
【００１５】
挟み込み生地として、ゴブラン織り、パッチワーク、マクラメレース、ケミカルレース、プリント生地等が用いられる。
【００１６】
なお、本考案で「本体生地とは異種の帯状編織部」といった場合、生地の組織そのものが異なる場合の他、生地の素材は同一であっても編織方法や柄の異なる状態の生地を用いる場合をも含む。
【００１７】
例えば、レースカーテンを用いる場合、同様にレース編みの帯状編織部を用いて、カーテンの全体の柄模様や色彩の変化を強調したカーテンを提供する事ができる。
【００１８】
また、テーブルクロスとしても、本体生地とは異種の帯状編織部を挟み込み一体化することにより、テーブル上でスベリ止め効果の良好なテーブルクロスを提供できる。
【実施例１】
【００１９】
図１に示したのは、カーテンとしての要部斜視図である。高さ方向の３分の２程度の位置に水平方向に異種の帯状編織部を形成した。１は本体生地でカーテンを示す。２は切断部、３は帯状編織部、４は縫着部である。
【実施例２】
【００２０】
図２は本体生地１を切断した空間部に、レース状の帯状編織部３を縫着したものであり、空間部に縫着されたレースは、上下にそれぞれはみ出して、はみ出し部６、７を設けた。はみ出し部６，７は縫着部４を越えているので、縫着部を境として折り返すこともでき、レースの与える透光性や遮光性、また反射光を強調し又は低減する場合等生地の選択の段階で調整することができる。
【００２１】
図３は縫着部４を越えたはみ出し部６，７を模式的に示したもので、縫着部４を境としてはみ出し部を折り曲げる事もできる（６a 参照）。
【実施例３】
【００２２】
図４はテーブルクロスの平面図で、８はテーブルクロス、９は帯状編織部、１０は縫着部を示す。
【産業上の利用可能性】
【００２３】
一枚の生地からなるカーテン又はテーブルクロスとは異なり、直線で切断した空間部に異種の生地からなる帯状編織部を設けている。従って本体生地と帯状編織部との組み合わせが無限に実現でき、透光性、遮光性、透視性、反射光の増減又は形体に変化のある製品が提供できるので、カーテン又はテーブルクロス業界に新しい製品の開発と販路開拓ができるようになった。
【図面の簡単な説明】
【００２４】
【図１】本考案カーテンを示す斜視図。
【図２】カーテンの要部を示す平面図。
【図３】本体生地の切断部と帯状編織部の縫着部の拡大説明図。
【図４】テーブルクロスの一例を示す平面図。
【符号の説明】
【００２５】
１：本体生地
２：空間部
３：帯状編織部
４：縫着部
５：カーテンつり係合部
６：はみ出し部
７：はみ出し部
８：テーブルクロス
９：帯状編織部
１０：縫着部
【図１】
0003146253.tif 000003
【図２】
0003146253.tif 000004
【図３】
0003146253.tif 000005
【図４】
0003146253.tif 000006